(57)【要約】【課題】本考案は、プロセッサ基礎システムに応用される作動状態表示可能な携帯式ストレージ装置を提供する。【解決手段】記憶媒体と制御ユニット、作動状態分析駆動ユニット及び表示ユニットが備えられる。制御ユニットは、当該プロセッサ基礎システムからのアクセス信号を受信して、前記記憶媒体のデータにアクセスし、また、リードライト信号を生成する。また、作動状態分析駆動ユニットは、前記リードライト信号を分析して駆動信号を生成する。表示ユニットは、前記駆動信号を受信すると、当該分析作動による得られた作動状態情報を表示する。これにより、ユーザーに、即時に、携帯式ストレージ装置の作動状態情報を知らせるという目的が達成される。【選択図】図１
0003128870.tif 000002
【実用新案登録請求の範囲】
【請求項１】
プロセッサ基礎システムに適用される作動状態表示可能な携帯式ストレージ装置であって、
データを記憶する記憶媒体と、
前記プロセッサ基礎システムからのアクセス信号を受信し、前記記憶媒体のデータにアクセスして、リードライト信号を生成する制御ユニットと、
前記制御ユニットに電気的に接続され、前記リードライト信号を分析してから駆動信号を生成する作動状態分析駆動ユニットと、
前記駆動信号を受信して、前記分析作動による得られた作動状態情報を表示する表示ユニットと、を備えたことを特徴とする作動状態表示可能な携帯式ストレージ装置。
【請求項２】
前記記憶媒体は、磁気記憶媒体又は光学記憶媒体又は非揮発性メモリ記憶媒体であることを特徴とする請求項１に記載の作動状態表示可能な携帯式ストレージ装置。
【請求項３】
前記制御ユニットは、更に、当該作動状態分析駆動ユニットに供給して、表示モードを変化する又は計時モードを調整する又は直接に前記表示ユニットを制御するための制御信号を生成するものであることを特徴とする請求項１に記載の作動状態表示可能な携帯式ストレージ装置。
【請求項４】
前記制御信号は、前記プロセッサ基礎システムの任意のアプリケーションによって設定されて生成されるものであることを特徴とする請求項３に記載の作動状態表示可能な携帯式ストレージ装置。
【請求項５】
前記リードライト信号は、当該作動状態分析駆動ユニットが作動状態を分析する時必要とする原始情報であることを特徴とする請求項１に記載の作動状態表示可能な携帯式ストレージ装置。
【請求項６】
前記作動状態分析駆動ユニットは、更に、
前記リードライト信号を受信する信号入力ユニットと、
計時信号を生成する計時ユニットと、
前記計時信号に基づいて前記リードライト信号を統計分析し、作動状況判定を行うリードライト信号検知ユニットと、
前記リードライト信号検知ユニットに電気的に接続され、当該作動状況判定を受信して前記駆動信号を出力する表示駆動ユニットと、
前記駆動信号を当該表示ユニットへ伝送する信号出力ユニットと、を備えたことを特徴とする請求項１に記載の作動状態表示可能な携帯式ストレージ装置。
【請求項７】
前記作動状態分析駆動ユニットは、前記制御ユニットに内蔵され、また、前記制御ユニット内部のハードウェア回路又はファームウェア制御プロセスによって実現されるものであることを特徴とする請求項１に記載の作動状態表示可能な携帯式ストレージ装置。
【請求項８】
前記表示ユニットは、液晶表示モジュール又は双安定液晶表示モジュール又は電子ペーパー又は複数の発光ダイオードであることを特徴とする請求項１に記載の作動状態表示可能な携帯式ストレージ装置。
【請求項９】
前記発光ダイオードは、それぞれ、単色又は多色の発光ダイオードであることを特徴とする請求項８に記載の作動状態表示可能な携帯式ストレージ装置。
【請求項１０】
前記作動状態情報は、アイドル状態，データ読取り状態，データ書込み状態，アクセス速度の中から選択された任意の作動状態に関する情報であることを特徴とする請求項１に記載の作動状態表示可能な携帯式ストレージ装置。
【請求項１１】
更に、前記プロセッサ基礎システムに接続されて、前記プロセッサ基礎システムが前記記憶媒体にアクセスできるためのシステム端インターフェースと、
前記システム端インターフェースを介して前記プロセッサ基礎システムから電源が供給され、前記電源を当該携帯式ストレージ装置の各ユニットに必要とする電源に変調する電源変調ユニットと、を備えたことを特徴とする請求項１に記載の作動状態表示可能な携帯式ストレージ装置。
【請求項１２】
前記電源変調ユニットは、前記制御ユニットに内蔵されるものであることを特徴とする請求項１１に記載の作動状態表示可能な携帯式ストレージ装置。
【考案の詳細な説明】
【技術分野】
【０００１】
本考案は、携帯式ストレージ装置に関し、特に、作動状態表示可能な携帯式ストレージ装置に関する。
【背景技術】
【０００２】
近年来、３Ｃ産業が盛んに発展し、膨大なデータを記憶可能とする要請と高速伝送を可能とする要請により、ストレージ装置としては、従来の磁気テープ駆動機構やフロッピー（登録商標）ディスク装置、ハードディスクドライブ及びＣＤ−Ｒの替わりに、メモリカードリーダーやキーチェーンドライバ等の携帯式ストレージ装置が登場した。
【０００３】
既存のストレージ装置において、ユーザーに、装置の開閉とリードライト状態を知らせる方法としては、一般的に、発光ダイオード（ＬＥＤ）の色や点滅によって表示するものがあり、しかし、ＬＥＤ指示灯だけで現在の状態を表示する場合は、装置が作動しているか否かや電源がオンであるか否かの簡単なメッセージしか表現できない。そのため、ユーザーが、ＬＥＤ指示灯の点灯や消灯或いは点滅により、確実に、装置の実際の作動を詳しく把握できない。
【０００４】
また、携帯式ストレージ装置が急速に発展するに伴い、当業者により、ストレージ装置に、液晶表示モジュールや電子ペーパー、七段ディスプレー或いは階段式ＬＥＤディスプレー等を結合して、ストレージ装置の利用可能な容量やディスクドライバラベル等の情報を表示する様々の方法が提案されている。例えば、特許文献１「容量表示可能な記憶媒体装置」は、電子ペーパーで、記憶媒体装置の記憶容量情報を表示するものを開示し、また、特許文献２「記憶容量ディスプレー表示可能な携帯式ストレージ装置」は、七段ディスプレーや階段ＬＥＤディスプレーにより携帯式装置の記憶容量情報を表示するものを開示し、また、特許文献３は、電子表示装置を配置している携帯式ストレージ装置を開示する。また、特許文献４や特許文献５及び特許文献６等は、スタティックデータ（静的なデータ）を記憶してから適当な表示装置に表示できるストレージ装置を開示する。しかしながら、上記のものは、ストレージ装置の内部に記録されているスタティックデータの状況を表示し、即ち、前記データが占有した空間やストレージ装置に利用できる空間容量やそのパーセント或いはストレージ装置に付与されたディスクドライバラベル等の情報を表示するが、ストレージ装置とそれを応用するシステムとが連結される時の作動期間の作動状態を表示せず、例えば、データの伝送方向（読取りや書込み）やアクセス速度等の状態情報を表示しない。
【０００５】
現状において、携帯式ストレージ装置に各種類のディスプレーを設置することにより、ストレージ装置のスタティックデータの内容や状態情報を提供し、そして、ＬＥＤを介して簡単に現在の装置の作動状態を表示できる。しかし、上記の方法によれば、ストレージ装置が作動する時、有効的に、即時に作動状態や読取りと書込み速度等の稼働に関する情報を、確実にユーザーに提供できない。そのため、携帯式ストレージ装置のダイナミック状況表示（動的な状況表示）には、改善できる余地がある。
【特許文献１】台湾特許第Ｍ２８４０６２号明細書
【特許文献２】台湾特許第５３７４６２号明細書
【特許文献３】米国特許出願公開第２００６／００９５６４７号明細書
【特許文献４】特開平４−１０３０７２号公報
【特許文献５】特開平４−１３５２２９号公報
【特許文献６】米国特許出願公開第２００３／００６７７０２号明細書
【考案の開示】
【考案が解決しようとする課題】
【０００６】
本考案は、分析技術により、自動的に、作動状態を検知し、また、現在における携帯式ストレージ装置の記憶媒体に対するリードライトの作動状態について分析し、そして、表示ユニットの表示画面により、或いはＬＥＤの点滅順や変化速度、輝度或いは色等を変化することにより、即時に、携帯式ストレージ装置の作動状態を表示でき、また、異なる作動状態について、異なる視覚効果により、即時に、携帯式ストレージ装置の作動状態をより確実に表示できるものを提供する。
【課題を解決するための手段】
【０００７】
本考案は、上記の問題を解消するために、プロセッサ基礎システムに適用され、記憶媒体と、制御ユニットと、作動状態分析駆動ユニットと、表示ユニットとが備えられた作動状態表示可能な携帯式ストレージ装置である。記憶媒体は、データを記憶する。制御ユニットは、前記プロセッサ基礎システムからのアクセス信号を受信して、前記記憶媒体のデータにアクセスし、アクセス作動中、リードライト信号を生成する。また、制御ユニットに電気的に接続される作動状態分析駆動ユニットは、前記リードライト信号を分析してから、駆動信号を出力する。そして、表示ユニットは、前記駆動信号を受信すると、当該分析作動による得られた作動状態情報を表示する。
【０００８】
本考案に係る前記作動状態表示可能な携帯式ストレージ装置の制御ユニットは、更に、前記作動状態分析駆動ユニットに供給して、表示モードを変化することや計時モードを調整すること或いは直接に前記表示ユニットを制御するための制御信号を生成することもできる。そのため、当該作動状態表示可能な携帯式ストレージ装置には、より多様化したユーザーを満足させる表示モードが実現される。
【考案を実施するための最良の形態】
【０００９】
以下、図面を参照しながら、本考案の特長や技術内容について詳しく説明するが、本考案は、それらの図面や説明によって制限されることはない。
【００１０】
図１は、本考案に係る作動状態表示可能な携帯式ストレージ装置の実施例を示すブロック図であり、同図のように、本考案は、プロセッサ基礎システム（図に未表示）に適用される作動状態表示可能な携帯式ストレージ装置１を提供し、システム端インターフェース１０と、制御ユニット２０と、記憶媒体３０と、作動状態分析駆動ユニット４０と、表示ユニット５０と、電源変調ユニット６０とが備えられる。システム端インターフェース１０がプロセッサ基礎システムに接続されることにより、前記プロセッサ基礎システムは、携帯式ストレージ装置１の記憶媒体３０のデータにアクセスできる。また、前記記憶媒体３０は、例えば、磁気記憶媒体（Ｍａｇｎｅｔｉｃ  Ｒｅｃｏｒｄｉｎｇ  Ｍｅｄｉｕｍ）や光学記憶媒体（Ｏｐｔｉｃａｌ  Ｒｅｃｏｒｄｉｎｇ  Ｍｅｄｉｕｍ）或いは非揮発性メモリ記憶媒体（Ｎｏｎ−ｖｏｌａｔｉｌｅ  Ｍｅｍｏｒｙ  Ｒｅｃｏｒｄｉｎｇ  Ｍｅｄｉｕｍ）等である。制御ユニット２０は、システム端インターフェース１０と記憶媒体３０に電気的に接続され、システム端インターフェース１０を介してプロセッサ基礎システムが指示したアクセス信号を受信して、記憶媒体３０のデータにアクセスし、そして、アクセス過程において、リードライト信号２０１を生成する。また、作動状態分析駆動ユニット４０は、制御ユニット２０に電気的に接続され、リードライト信号２０１を統計分析してから駆動信号４０１を出力する。なお、リードライト信号２０１は、作動状態分析駆動ユニット４０が分析作動状態である時に必要とする原始情報である。
【００１１】
表示ユニット５０は、駆動信号４０１を受信して、分析作動によって得られた作動状態情報を表示するものであり、例えば、液晶表示モジュールや双安定液晶表示モジュール、電子ペーパー或いは複数の発光ダイオード（ＬＥＤ）等から構成される。ここで、発光ダイオードは、それ自身が、単色や多色（例えば、２色）の発光ダイオードであり、分析によって得られた作動状態情報は、例えば、アイドル状態やデータ読取り状態、データ書込み状態或いはアクセス速度等の情報である。
【００１２】
また、表示ユニット５０は、作動状態分析駆動ユニット４０によって予め設定した表示モードで情報を表示する他に、制御ユニット２０により更に制御信号２０２を生成して作動状態分析駆動ユニット４０に供給することにより、予め設定した表示モードを変化することや計時モードを調整すること或いは直接に表示ユニット５０を制御することができる。前記制御信号２０２の生成は、例えば、プロセッサ基礎システムによりアプリケーションを実行することによって行う。また、ユーザーからの入力によりその個人の専用表示様式を設定することができる。
【００１３】
また、制御ユニット２０と作動状態分析駆動ユニット４０は、図１のように独立して設置する他、作動状態分析駆動ユニット４０を制御ユニット２０に内蔵して、制御ユニット２０の内部のハードウェア回路やファームウェア制御プロセスを統合することにより分析駆動機能を実現しても良い。また、電源変調ユニット６０は、主として、システム端インターフェース１０を介してプロセッサ基礎システムが供給した電源を取得して変調した後、携帯式ストレージ装置１の各ユニットに必要とする電源を供給する。また、電源変調ユニット６０は、独立してハードウェア回路の外部に設置される他に、電源変調ユニット６０全体を統合して制御ユニット２０に内蔵することにより、コストと占有空間を節約しても良い。
【００１４】
図２は、本考案に係る作動状態分析駆動ユニットの実施例のブロック図であり、同図のように、作動状態分析駆動ユニット４０は、信号入力ユニット４１と、リードライト信号検知ユニット４２と、表示駆動ユニット４３と、信号出力ユニット４４と、計時ユニット４５とが備えられる。信号入力ユニット４１は、制御ユニット２０が生成したリードライト信号２０１及び／或いは制御信号２０２を受信する。計時ユニット４５は、計時信号を生成して、データ伝送速度を算出する時、必要とする基礎時間単位を供給する。リードライト信号検知ユニット４２は、前記計時信号に基づいてリードライト信号２０１を統計分析し、作動状況判定を行う。表示駆動ユニット４３は、リードライト信号検知ユニット４２に電気的に接続され、当該分析結果の作動状況判定を受信して駆動信号４０１を出力し、そして、信号出力ユニット４４が行う伝送により、駆動信号４０１が表示ユニット５０に出力される。具体的に言えば、駆動信号４０１は、リードライト信号検知ユニット４２により分析されたリードライト信号２０１を受信した表示駆動ユニット４３が、表示ユニット５０を駆動する信号であり、或いは、表示駆動ユニット４３が制御信号２０２によって制御されて直接に表示ユニット５０を制御する信号である。
【００１５】
以下は、作動状態分析駆動ユニット４０の機能について、例を挙げて説明する。携帯式ストレージ装置１が、システム端インターフェース１０を介してプロセッサ基礎システムに接続される時には、電源変調ユニット６０により、携帯式ストレージ装置１の各ユニットに必要とする電源を変調して出力する。この時、携帯式ストレージ装置１が、まず、スタンバイ状態であるため、リードライト信号検知ユニット４２によって分析された作動状況判定に基づいて、表示駆動ユニット４３が、予め設定されたスタンバイ状態を示す表示モードで表示するように表示ユニット５０を駆動する。そして、作動状態分析駆動ユニット４０が制御信号２０２を受信すると、制御信号２０２に基づいて、表示駆動ユニット４３の表示モードを変化するか否かや、計時ユニット４５の計時モードを調整するか否か等の制御機能を実行し、また、プロセッサ基礎システムのデータアクセス命令によって生成したリードライト信号２０１を受信すると、リードライト信号検知ユニット４２により、読取りや書込みの信号データ量を累計し、そして、計時ユニット４５によって生成した計時信号が、設定した単位時間（ユーザーがアプリケーションを介して設定することができる）に到達すると、リードライト信号検知ユニット４２により、累計したリードライトデータ量を統計分析して、作動状況判定を行い、また、表示駆動ユニット４３が、それに基づいて駆動表示ユニット５０の作動モードを変化して、現時点での携帯式ストレージ装置１の作動状態を表示する。
【００１６】
図３は、本考案の第１の応用実施例の立体図であり、同図のように、第１の応用実施例において、携帯式ストレージ装置１が、キーチェーンドライバ１’で、表示ユニット５０が、五つの発光ダイオードＬ１〜Ｌ５を順に一直線に配列することにより構成されるものである形態を、例として説明する。全ての発光ダイオードＬ１〜Ｌ５は、キーチェーンドライバ１’の作動状態に応じて、点滅や輝度或いは色を変化し、また、組合わせや位置の変化により異なる効果が得られ、現時点での作動状態を表示する。例えば、キーチェーンドライバ１’がスタンバイ状態である場合に、発光ダイオードＬ１〜Ｌ５が、全て点灯や消灯の状態を保持し、或いは、ゆっくり全消灯から全点灯まで、輝度を変化して、興味を引く効果を表現しても良い。また、例えば、キーチェーンドライバ１’が読取り状態である場合に、同じサイクルのある時点で、複数の発光ダイオードを点灯するが（例えば、第１の発光ダイオードＬ１と第２の発光ダイオードＬ２及び第３の発光ダイオードＬ３）、輝度の差別により、点灯位置が次第に移動する効果を作り、また、移動速度が、データの伝送速度に応じて変化することにより、ユーザーは、発光ダイオードの点灯位置の移動速度により、実際にデータの伝送速度を把握できる。
【００１７】
図３Ａは、本考案の第１の応用実施例におけるアイドル状態の作動サイクル概念図であり、同図に示されるものは、キーチェーンドライバ１’がアイドル状態である場合の、発光ダイオードＬ１〜Ｌ５の各サイクルにおいての作動状況である。同図において、整数値が、発光ダイオードＬ１〜Ｌ５の発光輝度値で、輝度が４段を例とする（３が最大輝度、２が２／３輝度、１が１／３輝度、０が消灯である）。第１のサイクル点において、発光ダイオードＬ１〜Ｌ５が、全て消灯の状態であり、第２のサイクル点において、発光ダイオードＬ１〜Ｌ５が、全て１／３輝度の状態であり、このように、発光ダイオードＬ１〜Ｌ５が、同時に、すべて全消灯から全点灯へ、そして、全点灯から全消灯へ次第に輝度を変化させる。
【００１８】
図３Ｂは、本考案の第１の応用実施例における読取り状態の作動サイクル概念図であり、同図に示されるものは、キーチェーンドライバ１’が読取り状態である場合の、発光ダイオードＬ１〜Ｌ５の各サイクルにおいての作動状況である。図３Ａと異なるのは、キーチェーンドライバ１’が読取り状態であるため、輝度が、キーチェーンドライバ１’からプロセッサ基礎システムへの方向に変化する（即ち、第５の発光ダイオードＬ５から第１の発光ダイオードＬ１への方向）。第１のサイクル点において、発光ダイオードＬ１〜Ｌ５が全消灯状態であり、第２のサイクル点において、第５の発光ダイオードＬ５が全点灯状態になり、そして、第３のサイクル点において、第４の発光ダイオードＬ４が全点灯し、この時、第５の発光ダイオードＬ５の輝度が２／３になり、同じように、第４のサイクル点において、第３の発光ダイオードＬ３が全点灯し、第４の発光ダイオードＬ４の輝度が２／３になり、そして、第５の発光ダイオードＬ５の輝度が１／３になり、同じような方法により、移動方向を指示する効果が得られ、また、尾を引く格別な効果が得られる。また、各サイクル点の間での時間が実際のデータの伝送速度と反比例し、即ち、実際においてデータの伝送速度が速ければ、灯の移動速度が速くなる。
【００１９】
図３Ｃは、本考案の第１の応用実施例における書込み状態の作動サイクル概念図であり、同図に示されるものは、キーチェーンドライバ１’が書込み状態である場合の、発光ダイオードＬ１〜Ｌ５の各サイクルにおいての作動状況である。図３Ｂと異なるのは、書込み状態であるため、輝度が、プロセッサ基礎システムからキーチェーンドライバ１’への方向に変化し、同図のように、まず、第１の発光ダイオードＬ１の全点灯状態が、次第に第５の発光ダイオードＬ５へ移動し、これにより、尾を引く効果が得られる。
【００２０】
図４は、本考案の第２の応用実施例の立体図であり、第２の応用実施例において、携帯式ストレージ装置１が、キーチェーンドライバ１’として説明され、表示ユニット５０が、液晶ディスプレー５０’である。液晶ディスプレー５０’は、キーチェーンドライバ１’の作動状態を変換表示するための作動表示領域５１が備えられ、キーチェーンドライバ１’がスタンバイ状態である場合、同図のように、空白画面になる。
【００２１】
図４Ａは、本考案の第２の応用実施例における読取り状態の作動概念図であり、キーチェーンドライバ１’が読取り状態である場合は、作動表示領域５１において、キーチェーンドライバ１’からプロセッサ基礎システムへの方向に、次第に矢印の図形が表示され、また、読取り状態が持続するとともに、当該図形が繰り返して移動することにより、明確に指示する。図形が繰り返して移動する速度は、同時に、実際のデータの伝送速度に応じて加速するか減速する。
【００２２】
図４Ｂは、本考案の第２の応用実施例における書込み状態の作動概念図であり、図４Ａと異なるのは、この作動状態が、データをキーチェーンドライバ１’に書込む状態であることである。そのため、作動表示領域５１において、次第に移動する矢印によりプロセッサ基礎システムからキーチェーンドライバ１’への方向を指示し、これは、読取り状態である時の方向と逆になる。
【００２３】
図５と図６は、それぞれ、本考案の第３の応用実施例と第４の応用実施例の立体図であり、携帯式ストレージ装置１に適用された本考案の実施の形態は、メモリカード３０’のリーダー１’’に適用でき、図５のように、リーダー１’’に複数の発光ダイオードを囲むように設置することにより、表示の効果が得られ、そして、読取り状態と書込み状態とで例えば異なる方向へ点滅させて尾を引くなどの効果を得ることができる。また、図６を参照すると、リーダー１’’に液晶ディスプレー５０’を設置することにより、メモリカード３０’に対して読取りや書込みを行う状態である時に、異なる表示効果が得られ、これにより、ユーザーは、リーダー１’’の作動状態が分かる。
【００２４】
また、上記の応用実施例においての液晶ディスプレー５０’は、次第に移動する矢印の図形を表示できるだけでなく、更に、各種類の動的な図案や文字で、作動状態を表すことができる。
【００２５】
以上のように、上記の技術手段による本考案に係る作動状態表示可能な携帯式ストレージ装置１は、自動的に操作中のリードライトに関する作動状態を検知できるだけでなく、表示ユニット５０の表示状況を変化させることにより、即時に、携帯式ストレージ装置１の作動状態を參考としてユーザーに提供する目的が達成される。また、余計にコストを掛けなくても、携帯式ストレージ装置１の使用機能が向上されるため、製品の付加価値が向上され、また、興味を引く動的表示、そして、ユーザーが好みに応じて独自の表示モードを設定できるため、より個性化を有する製品になる。
【００２６】
以上は、ただ、具体的な実施例と図面を利用して本考案を詳しく説明するもので、本考案は、それによって制限されることがなく、本技術分野の当業者であれば、簡単に、本考案の技術的思想に基づいて等価の変更や修正を行うことができ、また、上記の等価の変更や修正は、全てが、本考案に係わる実用新案登録請求の範囲内に含まれる。
【図面の簡単な説明】
【００２７】
【図１】本考案に係る作動状態表示可能な携帯式ストレージ装置の実施例のブロック図である。
【図２】本考案に係る作動状態分析駆動ユニットの実施例のブロック図である。
【図３】本考案の第１の応用実施例の立体図である。
【図３Ａ】本考案の第１の応用実施例におけるアイドル状態の作動サイクル概念図である。
【図３Ｂ】本考案の第１の応用実施例における読取り状態の作動サイクル概念図である。
【図３Ｃ】本考案の第１の応用実施例における書込み状態の作動サイクル概念図である。
【図４】本考案の第２の応用実施例の立体図である。
【図４Ａ】本考案の第２の応用実施例における読取り状態の作動概念図である。
【図４Ｂ】本考案の第２の応用実施例における書込み状態の作動概念図である。
【図５】本考案の第３の応用実施例の立体図である。
【図６】本考案の第４の応用実施例の立体図である。
【符号の説明】
【００２８】
１  携帯式ストレージ装置
１’  キーチェーンドライバ
１’’  リーダー
１０  システム端インターフェース
２０  制御ユニット
２０１  リードライト信号
２０２  制御信号
３０  記憶媒体
３０’  メモリカード
４０  作動状態分析駆動ユニット
４０１  駆動信号
４１  信号入力ユニット
４２  リードライト信号検知ユニット
４３  表示駆動ユニット
４４  信号出力ユニット
４５  計時ユニット
５０  表示ユニット
５０’  液晶ディスプレー
５１  作動表示領域
６０  電源変調ユニット
Ｌ１  第１の発光ダイオード
Ｌ２  第２の発光ダイオード
Ｌ３  第３の発光ダイオード
Ｌ４  第４の発光ダイオード
Ｌ５  第５の発光ダイオード
【図１】
0003128870.tif 000003
【図２】
0003128870.tif 000004
【図３】
0003128870.tif 000005
【図３Ａ】
0003128870.tif 000006
【図３Ｂ】
0003128870.tif 000007
【図３Ｃ】
0003128870.tif 000008
【図４】
0003128870.tif 000009
【図４Ａ】
0003128870.tif 000010
【図４Ｂ】
0003128870.tif 000011
【図５】
0003128870.tif 000012
【図６】
0003128870.tif 000013